(57)【要約】      （修正有）【課題】家族の者が帰宅したことや外出したことを確認することのできる建具を提供する。【解決手段】本発明の建具１は、戸３と、戸に設けた錠４と、戸・錠の状態管理ユニット５とを備える。戸・錠の状態管理ユニット５は、戸の錠信号受信部と、戸の開閉信号受信部と、メール送信部とを有する。錠が解錠されて錠信号受信部が解錠信号を受けたとき、錠があけられたことを示す解錠メールを送信し、錠が施錠されて錠信号受信部が施錠信号を受け、且つ、戸があけられて開閉信号受信部が戸の開信号を受けたとき、戸３が異常にあけられたことを示す異常メールを通信端末２３に送信する。【選択図】図３
2020170440.tif 000002
【特許請求の範囲】
【請求項１】
戸と、戸に設けた錠と、戸・錠の状態管理ユニットとを備え、戸・錠の状態管理ユニットは、戸の錠信号受信部と、戸の開閉信号受信部と、メール送信部とを有し、錠が解錠されて錠信号受信部が解錠信号を受けたときに錠があけられたことを示す解錠メールを送信するものであり、錠が施錠されて錠信号受信部が施錠信号を受け且つ戸があけられて開閉信号受信部が戸の開信号を受けたときに戸が異常にあけられたことを示す異常メールを送信するものであることを特徴とする建具。
【発明の詳細な説明】
【技術分野】
【０００１】
本発明は、建具に関する。
【背景技術】
【０００２】
電気錠付きのドアにおいて、家族の者が帰宅したことや外出したことを、外出中の家族（ユーザ）に通知できるものが求められていた。
【発明の概要】
【発明が解決しようとする課題】
【０００３】
そこで、本発明は、家族の者が帰宅したことや外出したことを確認することのできる建具の提供を目的とする。
【課題を解決するための手段】
【０００４】
請求項１に記載の発明は、戸と、戸に設けた錠と、戸・錠の状態管理ユニットとを備え、戸・錠の状態管理ユニットは、戸の錠信号受信部と、戸の開閉信号受信部と、メール送信部とを有し、錠が解錠されて錠信号受信部が解錠信号を受けたときに錠があけられたことを示す解錠メールを送信するものであり、錠が施錠されて錠信号受信部が施錠信号を受け且つ戸があけられて開閉信号受信部が戸の開信号を受けたときに戸が異常にあけられたことを示す異常メールを送信するものであることを特徴とする建具である。
【発明の効果】
【０００５】
請求項１に記載の発明によれば、家族の者が帰宅したことや外出したことを確認することができる。
また、施錠されているにもかかわらずバール等で戸が抉じ開けられるといった異常状態が起きた場合でもユーザに通知でき防犯性に優れる。
【図面の簡単な説明】
【０００６】
【図１】本発明の実施形態にかかる戸・錠の状態管理ユニットの制御フローを示すフローチャートである。
【図２】本発明の実施形態にかかる戸・錠の状態管理ユニットの構成を示すブロック図である。
【図３】本発明の実施形態であって、全体の構成を示す図である。
【図４】本発明の実施形態にかかる戸・錠の状態管理ユニット及びルータを配置した家の間取り図である。
【図５】本発明の実施形態にかかる戸・錠の状態管理ユニットの取付け位置を示す図であり、玄関を室内側から見た斜視図である。
【図６】本発明の実施形態にかかる戸・錠の状態管理ユニットの他の取付け位置を示す図であり、玄関を室内側から見た斜視図である。
【図７】本発明の実施形態にかかる戸・錠の状態管理ユニットの更に他の取付け位置を示す図であり、玄関を室内側から見た斜視図である。
【発明を実施するための形態】
【０００７】
以下に、添付図面を参照して、本発明の実施の形態を説明する。
図３に示すように、本実施の形態に係る建具１は、戸３と、戸に設けた錠４と、戸・錠の状態管理ユニット５を備えている。
戸３は、玄関ドアであり、戸３には錠が施錠状態にあるか解錠状態にあるかを検出する錠状態検出部７（図２参照）と、戸３が閉じているか開いているかを検出する戸状態検出部９（図２参照を）を備えており、図２に示すように、これらの錠状態検出部７と戸状態検出部９とはインターフェースユニット１１に接続されている。
戸３の錠４は電気錠であり、電気錠が家族の者が保持する電子キーから施錠信号又は解除信号を受信して施錠又は解錠する。
錠状態検出部７は、例えば、錠４のデッドボルトが戸側に位置しているか（解錠状態）又は枠の錠受けに位置しているか（施錠状態）を検知することで、錠の施解錠状態を検出している。また、錠状態検出部７は、錠４を解錠又は施錠した電子キーの識別コード（ＩＤ番号）を受信する。
戸状態検出部９は、戸が枠に対して閉じているか開いているかを検出するものであり、例えば、戸又は枠のいずれか一方に設けたマグネットを、他方に設けた磁気センサで検出することで、戸が閉状態にあるか開状態にあるかを検知する。
図５に示すように、インターフェースユニット１１は、玄関２５の下駄箱２７の中で、戸３側の壁に設置されている。戸・錠の状態管理ユニット５は同様に下駄箱２７の中でインターフェースユニット１１に接続してあり、下駄箱２７の開閉扉２７ａを開くとインターフェースユニット１１及び戸・錠の状態管理ユニット５が露出される。
【０００８】
戸・錠の状態管理ユニット５は、戸・錠の状態管理の制御プログラムが格納された記憶媒体であり、接続端子を有する導線（ＨＡ配線）５ａが設けられている。戸・錠の状態管理ユニット５は導線５ａの接続端子をインターフェースユニット１１の端子接続口に接続して取り付けてある。
図２に示すように、戸・錠の状態管理ユニット５は、錠信号受信部１３と、開閉信号受信部１５と、制御部１６と、メール送信部１７とを備えている。
錠信号受信部１３は、錠が解錠されて施錠状態から解錠状態にかわったときの解錠状態信号又は、錠が施錠されて解錠状態から施錠状態にかわったときの施錠状態信号及び、施解錠操作した電子キーの識別コード（ＩＤ番号）を錠状態検出部７から受ける。
開閉信号受信部１５は、戸３が閉じ状態にある閉信号又は、戸３が開き状態にある開信号を戸状態検出部９から受ける。
メール送信部１７は、錠が解除されたことを示す解錠メール及び戸が異常に開かれたことを示す異常メールが保存されており、制御部１６が実行する制御フロー（後述する）において送信信号を受けるとこれらのメールを送信する。
【０００９】
図３に示すように、戸・錠の状態管理ユニット５は、無線通信により、屋内にあるルータ１９を介してインターネット回線に接続し、インターネット回線を介してメールサーバ２１に接続される。メールサーバ２１は、ユーザの通信端末２３に接続して、戸・錠の状態管理ユニット５のメール送信部１７が発信したメールをユーザの通信端末２３に送信する。
ルータ１９は、住宅内の任意の場所にされるが、図４に示すように、本実施の形態ではリビングに設定している。尚、ルータ１９は、新規に設置することに限らず、住宅の各戸や窓の開閉を管理しているコントローラがある場合にはそのコントローラに付属している既設のルータを用いても良いし、住宅内で使用しているパソコン（パーソナルコンピュータ）で使用しているインターネット通信用のルータがある場合には、その既設のルータを用いても良い。
メールサーバ２１は、住宅を管理している管理会社等のサーバであり、メールサーバ２１には、通信端末２３のアドレスが登録されている。
通信端末２３は、住宅主等のユーザが保持するスマートフォンやモバイルノートパソコン等である。
【００１０】
次に、図１を参照して、戸・錠の状態管理ユニット５の制御フローについて説明する。
ステップＳ１で制御部１６（図２参照）が錠信号受信部１３（図２参照）から施錠状態にある錠が解錠された解錠状態信号、又は解錠状態にある錠が施錠された施錠状態信号を受ける。更に、制御部１６では、錠４を解錠又は施錠したキーの識別コード（ＩＤ番号）を登録されている識別コードと比較することで、施錠又は解錠した者が誰かを特定する。
受けた信号が解錠状態信号である場合には、ステップＳ２に移行し、メール送信部１７（図２参照）から解錠メールを送信し、ステップＳ３に移行する。解錠メールは、戸の錠が誰により解錠されたことを示すメールである。尚、識別コードが無い状態で解錠された場合にはその旨を解錠メールで示す。
ステップＳ２で解錠メールが送信されると、図３に示すように、解錠メールはルータ１９を介してメールサーバ２１に送られる。メールサーバ２１では登録されているアドレスの通信端末２３に解錠メールを送信する。
次に、図１に示すように、ステップＳ３で開閉信号受信部１５（図２参照）が開戸信号又は閉戸信号を受けているか判断する。開戸信号を受けているときには、制御を終了する。閉戸信号を受けているときには、ステップＳ４で戸の錠をリロック（施錠）して、制御を終了する。
【００１１】
一方、ステップＳ１で、錠信号受信部１３（図２参照）が施錠状態信号を受けているときに、ステップＳ５で戸が開かれて開閉信号受信部１５（図２参照）が開戸信号を受けたときには、ステップＳ６でメール送信部１７から異常メールを送信して、制御を終了する。異常メールは戸が異常に開いたことを示すメールである。
また、ステップＳ５で閉戸信号を受けている場合には、制御フローを終了する。
【００１２】
次に、本実施の形態にかかる建具１の作用及び効果について説明する。
図１に示すように、本実施の形態にかかる建具１によれば、錠４が解錠されて錠信号受信部１３（図２参照）が解錠状態信号を受けると（ステップＳ１）解錠メールを通信端末２３（図３参照）に送信するので（ステップＳ２）、通信端末２３を保持して外出している家主等（ユーザ）は家族の者が帰宅したことや、家族の者が外出したことを知ることができる。例えば、学校に通っている子供がいる場合には、外出している母親や父親が解錠メールを受けることで子供が帰宅したことを知ることができる。
ステップＳ１で錠信号受信部１３が施錠状態信号を受けているときに、ステップＳ５で戸が開かれて開閉信号受信部１５（図２参照）が開戸信号を受けると、ステップＳ６で異常メールを送信するので、施錠されたにもかかわらず、バール等で戸が抉じ開けられるといった異常状態が起きた場合にも、ユーザに通知できるから防犯性に優れる。
更に、本実施の形態では、錠４を解錠又は施錠した電子キーの識別コードを受信しているので、解錠した者が家族の誰かを解錠メールで通知することにより、家族の誰が帰宅したかを知ることができる。また、登録されている識別コードで解錠されなかった場合、ピッキング等の不正手段で解錠されたことを知ることができる。
【００１３】
図５に示すように、戸・錠の状態管理ユニット５は、戸３と別のところに取り付けてあるから、戸３に組み込まれていないので、ユーザの要求により容易に後付ができる。
図２に示すように、戸・錠の状態管理ユニット５は、戸３に取り付けてある錠状態検出部７と戸状態検出部９のインターフェースユニット１１にＨＡ配線５ａにより接続自在としてあるから、設置が容易で且つ後付も容易にできる。
図５に示すように、インターフェースユニット１１及び戸・錠の状態管理ユニット５は、玄関２５の下駄箱２７に設置されているから、戸・錠の状態管理ユニット５を目立たない位置で取付工事が簡単にできる。
【００１４】
戸・錠の状態管理ユニット５だけで、錠の解錠メールの送信（ステップＳ２）と、戸の異常状態の判断（ステップＳ５）及び異常メールの送信（ステップＳ６）を完結することができる。  
また、錠４や戸３の状態の変化を検知することにとどまらず、解錠メール（ステップＳ２）や異常メール（ステップＳ６）を通信端末２３に送信することで、帰宅や徘徊及び戸３が異常に開かれたことについてユーザに注意を強く喚起できる。
家の各戸や窓の開閉を管理しているコントローラやインターネット通信用のルータ１９がある場合には、ルータを新たに設けなくても、既設のルータ１９を利用して解錠メール（ステップＳ２）や異常メール（ステップＳ６）を送信できる。
【００１５】
本発明は、上述した実施の形態に限らず、本発明の要旨を逸脱しない範囲で種々変形可能である。  
例えば、インターフェースユニット１１及びインターフェースユニット１１に接続する戸・錠の状態管理ユニット５は、図５に示すように玄関２５の下駄箱２７に設けることに限らず、図６に示すように玄関２５の戸３の横にある壁２９の上の目立たない位置に設置したり、図７に示すように玄関２５の天井３１の裏に設置しても良い。
錠は電気錠に限らず、キーを差し込むことで機械的に施錠又は解錠するシリンダキーや、暗証番号を入力して施錠又は解除するテンキーであっても良い。
戸３は、ドアに限らず、引戸であっても良い。
【符号の説明】
【００１６】
１    建具
３    戸
４    錠
５    戸・錠の状態管理ユニット
１３  戸の錠信号受信部  
１５  戸の開閉信号受信部
１６  制御部
１７  メール送信部
ステップＳ２  解錠メール送信
ステップＳ６  異常メール送信
【図１】
2020170440.tif 000003
【図２】
2020170440.tif 000004
【図３】
2020170440.tif 000005
【図４】
2020170440.tif 000006
【図５】
2020170440.tif 000007
【図６】
2020170440.tif 000008
【図７】
2020170440.tif 000009